(57)【特許請求の範囲】
【請求項１】
空調ダクト内を流れる気流中の粉体を回収する粉体回収フィルタであって、
空調ダクト内に流れる気流の上流面に吸気口が設けられた上流側筐体と、
この上流側筐体内に設けられ前記吸気口より導入された気流を上昇させる第一の傾斜部及び垂直部と、下降された気流を排気口へ導出する第二の傾斜部とからなる略Ｙ字状に形成された上流側邪魔板と、
前記上流側筐体の下流面に上流面が分離可能に連結され下流面に排気口が設けられる下流側筐体と、
この下流側筐体内の上部に設けられ前記上流側邪魔板で上昇された気流を下降させるように構成され且つ粉体の慣性を利用して粉体を捕集するように上流側に開口が設けられた箱状の第一の下流側邪魔板と、前記下流側筐体内に前記排気口より下部に設けられ粉体に働く重力を利用して粉体を捕集するように上流側に開口が設けられた箱状の第二の下流側邪魔板とから構成された下流側邪魔板と
を具備してフィルタ基本構成要素が構成され、
このフィルタ基本構成要素が複数個積層して構成されることを特徴とする粉体回収フィルタ。
【請求項２】
請求項１記載の粉体回収フィルタが複数個用いられ、各粉体回収フィルタが空調ダクト内に気流の流れ方向に沿って着脱可能に連結するように案内溝を利用して設置され、且つ前記各粉体回収フィルタの清掃交換を行う点検口が設けられたことを特徴とする粉体回収フィルタユニット。
【請求項３】
空調ダクト内に設置された複数個の粉体回収フィルタの最上流側および最下流側にそれぞれ着脱可能に連結するように案内溝を利用して設置される多孔板を備えたことを特徴とする請求項２記載の粉体回収フィルタユニット。
【発明の詳細な説明】
【０００１】
【発明の属する技術分野】
本発明は、粉体を含む空気を搬送する空調ダクト内に設置して粉体を回収して除去する粉体回収フィルタ及び粉体回収フィルタユニットに関する。
【０００２】
【従来の技術】
食用粉を扱う食品工場では、食品に付着した食用粉が空調ダクト内に混入し、製造工程に悪影響を及ぼす場合がある。例えば製麺工場においては、麺を茹で上げる水槽から発生した蒸気を排出する際、蒸気と一緒に麺に付着している食用粉も空調ダクト内に吸い込むため、空調ダクト内に湿った食用粉が堆積しやすくなる。ところが、空調ダクト内にこのような粉体が堆積すると、粉体が腐敗したり害虫が生じるのみならず、ファンの故障原因やダクトの劣化を促進させる原因となり、製造施設の安全衛生確保が脅かされることになる。このため、食用粉を扱う食品工場では、食品製造時の重要管理項目として、粉体回収が実施されている。
【０００３】
従来の粉体回収フィルタとしては電気集塵機構を有するものや細密な網目構造を有するものなどが知られており、これらのフィルタはいずれも粉体をフィルタ自体に付着させて回収、除去する方式を採用している。
【０００４】
【発明が解決しようとする課題】
しかしながら、従来の粉体回収フィルタは使用に伴って次第に目詰まりが発生し、やがて初期の風量確保が困難になるという問題点があった。これを解決するため、フィルタの下流側にパルスジェット式の洗浄機構を設けて、目詰まりしたフィルタを定期的に水で洗浄する装置が考案されているが、装置が複雑かつ高価なものになるという問題点があった。
【０００５】
本発明は上記の事情に鑑みてなされたもので、空調ダクト内に混入する粉体を効率良く回収することができるとともに、安価でメンテナンスが容易な粉体回収フィルタ及び粉体回収フィルタユニットを提供することを目的とする。
【０００６】
【課題を解決するための手段】
上記目的を達成するために本発明は、空調ダクト内を流れる気流中の粉体を回収する粉体回収フィルタであって、空調ダクト内に流れる気流の上流面に吸気口が設けられた上流側筐体と、この上流側筐体内に設けられ前記吸気口より導入された気流を上昇させる第一の傾斜部及び垂直部と、下降された気流を排気口へ導出する第二の傾斜部とからなる略Ｙ字状に形成された上流側邪魔板と、前記上流側筐体の下流面に上流面が分離可能に連結され下流面に排気口が設けられる下流側筐体と、この下流側筐体内の上部に設けられ前記上流側邪魔板で上昇された気流を下降させるように構成され且つ粉体の慣性を利用して粉体を捕集するように上流側に開口が設けられた箱状の第一の下流側邪魔板と、前記下流側筐体内に前記排気口より下部に設けられ粉体に働く重力を利用して粉体を捕集するように上流側に開口が設けられた箱状の第二の下流側邪魔板とから構成された下流側邪魔板とを具備してフィルタ基本構成要素が構成され、このフィルタ基本構成要素が複数個積層して構成されることを特徴とするものである。
【０００８】
また本発明の粉体回収フィルタユニットは、前記粉体回収フィルタが複数個用いられ、各粉体回収フィルタが空調ダクト内に気流の流れ方向に沿って着脱可能に連結するように案内溝を利用して設置され、且つ前記各粉体回収フィルタの清掃交換を行う点検口が設けられたことを特徴とするものである。
【０００９】
また本発明は、前記粉体回収フィルタユニットにおいて、空調ダクト内に設置された複数個の粉体回収フィルタの最上流側および最下流側にそれぞれ着脱可能に連結するように案内溝を利用して設置される多孔板を備えたことを特徴とするものである。
【００１０】
【発明の実施の形態】
以下図面を参照して本発明の実施の形態例を詳細に説明する。
【００１１】
図１は本発明の実施形態例に係る粉体回収フィルタを示す構成図であり、（ａ）は粉体回収フィルタ全体を示す概略斜視図、（ｂ）は下流側筐体の外面図、（ｃ）は下流側筐体の内面図、（ｄ）は上流側筐体の外面図、（ｅ）は上流側筐体の内面図、図２（ａ）は本発明の実施形態例に係る粉体回収フィルタを示す断面構成説明図であり、図２（ｂ）は本発明の実施形態例に係る粉体回収フィルタの基本構成要素を示す断面構成説明図である。
【００１２】
すなわち、図１（ａ）に示すような粉体回収フィルタ１１は図１（ｂ）、（ｃ）に示すような下流側筐体１２の内面と図１（ｄ）、（ｅ）に示すような上流側筐体１３の内面を分離可能に連結して構成される。前記粉体回収フィルタ１１は例えば縦３５０ｍｍ、横３５０ｍｍ、厚さ７５ｍｍの大きさに構成される。
【００１３】
前記粉体回収フィルタ１１は図２（ａ）に示すように、５個のフィルタ基本構成要素１４を積層して構成される。図中、矢印は空調ダクト内を流れる気流の方向を示す。前記フィルタ基本構成要素１４はそれぞれ図２（ｂ）に示すように、上流側筐体１５の下流面に下流側筐体１６の上流面を分離可能に連結して構成される。前記上流側筐体１５の上流面には吸気口１７が設けられ、前記上流側筐体１５の内部には前記吸気口１７より導入された気流が上方向へ流されてから上流側筐体１５の下流面へ流されるように構成され且つ上流側筐体１５内の下部に粉体２３が捕集されるように構成された上流側邪魔板１８が設けられる。前記上流側邪魔板１８は吸気口から導入された気流を上昇させる第一の傾斜部１８１及び第一の傾斜部１８１の上部に連接された垂直部１８２と、垂直部１８２の上部に連接された戻し部１８３と、第一の傾斜部１８１と垂直部１８２の接続点に接続され下降された気流を排気口へ導出する第二の傾斜部１８４とからなる略Ｙ字状に形成される。前記下流側筐体１６の下流面には排気口１９が設けられ、前記下流側筐体１６の内部には前記上流側邪魔板１８で方向を変えられた気流が下方向へ流されてから前記排気口１９へ流されるように構成され且つ下流側筐体１６の上部及び下部に粉体２４、２５が捕集されるように構成された下流側邪魔板２０が設けられる。前記下流側邪魔板２０は下流側筐体１６内の上部に設けられ前記上流側邪魔板１８で上昇された気流を下降させるように構成され且つ粉体の慣性を利用して粉体２４を捕集するように上流側に開口部２１１が設けられた箱状の第一の下流側邪魔板２１と、下流側筐体１６内に前記排気口１９より下部に設けられ粉体に働く重力を利用して粉体２５を捕集するように上流側に開口部２２１が設けられた箱状の第二の下流側邪魔板２２とから構成される。
【００１４】
図３は本発明の実施形態例に係る粉体回収フィルタユニットを示す断面構成説明図である。すなわち、図１および図２に示す粉体回収フィルタ１１が３個用いられ、各粉体回収フィルタ１１が排気ダクト３１内に気流の流れ方向に沿って着脱可能に連結するように案内溝３２を利用して設置され、且つ前記各粉体回収フィルタ１１の清掃交換を行う点検口３３が設けられる。前記排気ダクト３１内に設置された複数個の粉体回収フィルタ１１の最上流側および最下流側にはそれぞれ多孔板３４、３５が着脱可能に連結するように案内溝３６を利用して設置される。図３に示すように、粉体回収フィルタユニット３０は、３個の粉体回収フィルタ１１を２個の多孔板３４、３５で挟み込むように層状に連結して構成される。前記点検口３３を設けることにより、粉体回収フィルタ１１や多孔板３４、３５の清掃、交換を行うことができる。さらに、前記点検口３３での粉体回収フィルタ１１や多孔板３４、３５の出し入れ作業が行い易いように、案内溝３２、３６が粉体回収フィルタユニット３０の内壁に設けられる。
【００１５】
以上のように、粉体回収フィルタ内で発生する蛇行気流に基づく慣性力を利用して粉体を回収する部分、及び粉体自体に働く重力を利用して粉体を回収する部分とを備えた構造を空調ダクト方向へ多層に構成することにより、空調ダクト内に混入した粉体を効率的に回収することが可能となる。また、目詰まりの頻度が少ないため、設計条件を満足させる風量を安定的に確保することが可能である。
【００１６】
一方、粉体回収フィルタ及び多孔板の材質をステンレス鋼またはアルミニウム合金等とすることにより、粉体回収フィルタ及び多孔板に耐熱性および耐食性が生まれ、長期間の連続使用が可能となる。
【００１７】
【発明の効果】
以上述べたように本発明によれば、空調ダクト内に混入する粉体を効率良く回収することができるとともに、安価でメンテナンスが容易な粉体回収フィルタ及び粉体回収フィルタユニットを提供することができる。
【図面の簡単な説明】
【図１】本発明の実施形態例に係る粉体回収フィルタを示す構成図であり、（ａ）は粉体回収フィルタ全体を示す概略斜視図、（ｂ）は下流側筐体の外面図、（ｃ）は下流側筐体の内面図、（ｄ）は上流側筐体の外面図、（ｅ）は上流側筐体の内面図である。
【図２】（ａ）は本発明の実施形態例に係る粉体回収フィルタを示す断面構成説明図であり、（ｂ）は本発明の実施形態例に係る粉体回収フィルタの基本構成要素を示す断面構成説明図である。
【図３】本発明の実施形態例に係る粉体回収フィルタユニットを示す断面構成説明図である。
【符号の説明】
１１  粉体回収フィルタ
１２  下流側筐体
１３  上流側筐体
１４  フィルタ基本構成要素
１５  上流側筐体
１６  下流側筐体
１７  吸気口
１８  上流側邪魔板
１９  排気口
２０  下流側邪魔板
２１  第一の下流側邪魔板
２２  第二の下流側邪魔板
２３  粉体
２４  粉体
２５  粉体
３０  粉体回収フィルタユニット
３１  排気ダクト
３２  案内溝
３３  点検口
３４  多孔板
３５  多孔板
３６  案内溝
【図１】
0004444386.tif 000002
【図２】
0004444386.tif 000003
【図３】
0004444386.tif 000004